(57)【要約】【課題】  コンバーチブル車のルーフ構造において、ルーフ収納状態でのトランク部の荷室スペースを可及的に拡大する。【解決手段】    トップルーフ２と、該トップルーフ２の後端両側部にその前端が折畳み自在に枢支され且つその幅方向内側部分にリヤウインドルーフ４が設けられて該リヤウインドルーフ４と共に車室後部を覆うリヤルーフ３を備えたコンバーチブル車のルーフ構造において、上記リヤウインドルーフ４を、上記リヤルーフ３に対して接離自在とし、上記ロアレール２と上記リヤルーフ３の折畳み状態においては上記リヤルーフ３から離間して上記トランク部６の前端部よりも車室寄りに収納されるように構成する。係る構成によれば、上記折畳み状態において上記トランク部６の荷室スペースが、上記リヤウインドルーフ４によって狭小化されるということがなく、例えば、上記リヤウインドルーフが上記トランク部６内に収納される構造の場合に比して、該トランク部６の荷室スペースの拡大を図ることができ、延いては、コンバーチブル車の使用上の利便性の向上が期待できる。【選択図】        図１
2005212584.tif 000002
【特許請求の範囲】
【請求項１】
車室前部を覆うトップルーフ（２）と、該トップルーフ（２）の後端両側部にその前端が折畳み自在に枢支され且つその幅方向内側部分にリヤウインドルーフ（４）が設けられて該リヤウインドルーフ（４）と共に車室後部を覆うリヤルーフ（３）を備え、上記ロアレール（２）と上記リヤルーフ（３）の展開状態においては該ロアレール（２）とリヤルーフ（３）によって上記車室が覆われる一方、上記ロアレール（２）と上記リヤルーフ（３）の折畳み状態においては該ロアレール（２）とリヤルーフ（３）が折り重ね状態でトランク部（６）側に収納されて上記車室が開放されるように構成されたコンバーチブル車のルーフ構造であって、
上記リヤウインドルーフ（４）が、上記リヤルーフ（３）に対して接離自在とされ、上記ロアレール（２）と上記リヤルーフ（３）の折畳み状態においては上記リヤルーフ（３）から離間して上記トランク部（６）の前端部よりも車室寄りに収納されるように構成されていることを特徴とするコンバーチブル車のルーフ構造。
【請求項２】
請求項１において、
上記トップルーフ（２）及び上記リヤルーフ（３）を展開・折り畳み自在に支持するルーフ支持機構（２１）と、上記リヤウインドルーフ（４）を可動支持するウインドウ支持機構（３１）とが独立した構成とされると共に、その作動が連動して制御されることを特徴とするコンバーチブル車のルーフ構造。
【請求項３】
請求項１又は２において、
上記トランク部（６）に設けられたトランクリッド（５）が、その前端側を中心として後端側を上方に持ち上げる後部開放形態と、その後端側を中心として前端側を上方に持ち上げる前部開放形態とを選択可能とされていることを特徴とするコンバーチブル車のルーフ構造。
【発明の詳細な説明】
【技術分野】
【０００１】
本願発明は、展開・折り畳み自在とされるコンバーチブル車のルーフ構造に関するものである。
【背景技術】
【０００２】
通常、コンバーチブル車は、車室上部を開閉蓋自在に覆う展開・折り畳み自在のトップルーフとリヤルーフからなるルーフを備えると共に、該リヤルーフにはリヤウインドルーフが設けられている。そして、このルーフは、その折畳み状態（即ち、車室上部の開放状態）では、車室後方に設けられたトランク部内に、該リヤルーフを下側にした状態で折り畳まれて収納されるようになっている。
【０００３】
この場合、従来のルーフ構造においては、上記リヤウインドルーフが上記リヤルーフと一体化された構造となっていたため、上記ルーフを折畳んでトランク部内に収容した状態では、上記リヤウインドルーフがトランク部の低い位置において且つその幅方向の広い範囲に跨って存在することとなり、上記トランク部の荷室スペースが狭小化されるという問題があった。
【０００４】
このような問題に対処する一つの方法として、例えば、特許文献１には、上記リヤルーフとリヤウインドルーフとを別体構造とし、ルーフの折畳み状態では上記リヤウインドルーフが上記リヤルーフから離脱して、該リヤルーフとその上側に折り畳まれるトップルーフの中間の高さ位置に収容されるようにし、該リヤウインドルーフの存在によって制約される荷室スペースの狭小化を抑制する技術が提案されている。
【０００５】
【特許文献１】特開平１１−３４２７４８号公報（段落「００１１」〜「００２１」。図３、図５）。
【発明の開示】
【発明が解決しようとする課題】
【０００６】
ところが、この公知例のものでは、上記リヤウインドルーフと上記リヤルーフとがヒンジ連結されているので、これら両者はそのヒンジ点回りに相対角度を変化させることはできるものの、個別に姿勢及び角度を変化させることはできず、この結果、上述のように、ルーフの折畳み状態において上記リヤウインドルーフを上記リヤルーフとトップルーフの中間高さに位置させるに止まり、該リヤウインドルーフをトランク部内から退避させることは構造上不可能であり、上記トランク部の荷室スペースの拡大という点において、改善の余地がある。
【０００７】
そこで本願発明では、コンバーチブル車のルーフ構造において、ルーフ収納状態でのトランク部の荷室スペースの可及的な拡大を実現することを目的とするものである。
【課題を解決するための手段】
【０００８】
本願発明ではかかる課題を解決するための具体的手段として次のような構成を採用している。
【０００９】
本願の第１の発明では、車室前部を覆うトップルーフ２と、該トップルーフ２の後端両側部にその前端が折畳み自在に枢支され且つその幅方向内側部分にリヤウインドルーフ４が設けられて該リヤウインドルーフ４と共に車室後部を覆うリヤルーフ３を備え、上記ロアレール２と上記リヤルーフ３の展開状態においては該ロアレール２とリヤルーフ３によって上記車室が覆われる一方、上記ロアレール２と上記リヤルーフ３の折畳み状態においては該ロアレール２とリヤルーフ３が折り重ね状態でトランク部６側に収納されて上記車室が開放されるように構成されたコンバーチブル車のルーフ構造において、上記リヤウインドルーフ４を、上記リヤルーフ３に対して接離自在とし、上記ロアレール２と上記リヤルーフ３の折畳み状態においては上記リヤルーフ３から離間して上記トランク部６の前端部よりも車室寄りに収納されるように構成したことを特徴としている。
【００１０】
本願の第２の発明では、上記第１の発明に係るコンバーチブル車のルーフ構造において、上記トップルーフ２及び上記リヤルーフ３を展開・折り畳み自在に支持するルーフ支持機構２１と、上記リヤウインドルーフ４を可動支持するウインドウ支持機構３１とを独立した構成とすると共に、その作動を連動して制御することを特徴としている。
【００１１】
本願の第３の発明では、上記第１及び第２の発明に係るコンバーチブル車のルーフ構造において、上記トランク部６に設けられたトランクリッド５を、その前端側を中心として後端側を上方に持ち上げる後部開放形態と、その後端側を中心として前端側を上方に持ち上げる前部開放形態とを選択可能に構成したことを特徴としている。
【発明の効果】
【００１２】
本願発明では次のような効果が得られる。
【００１３】
（ａ）本願の第１の発明に係るコンバーチブル車のルーフ構造によれば、車室前部を覆うトップルーフ２と、該トップルーフ２の後端両側部にその前端が折畳み自在に枢支され且つその幅方向内側部分にリヤウインドルーフ４が設けられて該リヤウインドルーフ４と共に車室後部を覆うリヤルーフ３を備え、上記ロアレール２と上記リヤルーフ３の展開状態においては該ロアレール２とリヤルーフ３によって上記車室が覆われる一方、上記ロアレール２と上記リヤルーフ３の折畳み状態においては該ロアレール２とリヤルーフ３が折り重ね状態でトランク部６側に収納されて上記車室が開放されるように構成されたコンバーチブル車のルーフ構造において、上記リヤウインドルーフ４を、上記リヤルーフ３に対して接離自在とし、上記ロアレール２と上記リヤルーフ３の折畳み状態においては上記リヤルーフ３から離間して上記トランク部６の前端部よりも車室寄りに収納されるように構成しているので、上記折畳み状態における上記トランク部６の荷室スペースは、上記ロアレール２と上記リヤルーフ３の収納スペース分だけは狭小化されるものの、上記リヤウインドルーフ４によってこれが狭小化されるということがなく、従来のように上記リヤウインドルーフが上記トランク部６内に収納される構造である場合に比して、該トランク部６の荷室スペースの拡大を図ることができ、延いては、コンバーチブル車の使用上の利便性の向上が期待できる。
【００１４】
（ｂ）本願の第２の発明では、上記（ａ）に記載の効果に加えて次のような特有の効果が得られる。即ち、この発明では、上記トップルーフ２及び上記リヤルーフ３を展開・折り畳み自在に支持するルーフ支持機構２１と、上記リヤウインドルーフ４を可動支持するウインドウ支持機構３１とを独立した構成とすると共に、その作動を連動して制御するようにしているので、上記ルーフ１の展開作動時には、上記トップルーフ２とリヤルーフ３、及び上記リヤウインドルーフ４が連動して作動しこれら各ルーフにより車室上部が覆われる一方、上記ルーフ１の折畳み作動時には、上記ルーフ支持機構２１とウインドウ支持機構３１が連動して作動することで、上記トップルーフ２とリヤルーフ３は上記ルーフ支持機構２１に支持された状態で上記トランク部６内に折り畳まれ、上記リヤウインドルーフ４は上記ウインドウ支持機構３１に支持された状態で上記トランク部６の前端部よりも車室寄りに収納される。このように、上記トップルーフ２とリヤルーフ３の作動と、上記リヤウインドルーフ４の作動が、個別の支持機構により、且つ相互に連動して行われることで、上記（ａ）に記載の効果がより確実となる。
【００１５】
（ｃ）本願の第３の発明では、上記（ａ）又は（ｂ）に記載の効果に加えて次のような特有の効果が得られる。即ち、この発明では、上記トランク部６に設けられたトランクリッド５を、その前端側を中心として後端側を上方に持ち上げる後部開放形態と、その後端側を中心として前端側を上方に持ち上げる前部開放形態とを選択可能に構成しているので、上記トランクリッド５を前部開放形態で開放させることで、上記トランク部６側に収納された上記ルーフ１の展開動作、及び該トランク部６側への上記ルーフ１の収納動作をよりスムーズ且つ的確に行うことができる一方、上記トランクリッド５を後部開放形態で開放させることで上記トランク部６への車体後方側からの荷物の出し入れを容易に行なうことができる、など、上記トランク部６の使用上の高い利便性が確保される。
【発明を実施するための最良の形態】
【００１６】
以下、本願発明を好適な実施形態に基づいて具体的に説明する。
【００１７】
図１〜図５には、コンバーチブル車に備えられたルーフ１、及び該ルーフ１が収納されるトランク部６に備えられたトランクリッド５を示している。
【００１８】
上記ルーフ１は、次述するトップルーフ２とリヤルーフ３及びリヤウインドルーフ４を備えて構成され、その展開状態では、図１に示すように上記トップルーフ２とリヤルーフ３が一体を為すように展延して車室８の後部から前部にかけて該車室８の上部を覆う一方、その折畳み状態では、図３に示すように、上記トップルーフ２とリヤルーフ３は折り畳み姿勢で上記トランク部６の上部に収納される一方、上記リヤウインドルーフ４は上記トランク部６の前端部よりも前方側（即ち、車室寄り側）に収納されている。
【００１９】
上記トップルーフ２は、図１に示すように、その展開状態において上記車室８の前部上方に略水平に配置されて車室前部を覆うものであって、略横長矩形の平面形態をもつ湾曲板状体で構成される。このトップルーフ２は、その後端２ａの両側部がそれぞれ次述のリヤルーフ３の前端３ａの両側部に枢支ピン５２を介してヒンジ結合されている。
【００２０】
上記リヤルーフ３は、車室８の後部両側部に対応する左右一対の側部構成体３Ａ，３Ａと該各側部構成体３Ａ，３Ａの後端同士を連結する後縁部構成体３Ｂとを備えた略コ字状の平面形態をもつ枠状体であって、その前端３ａ（即ち、上記側部構成体３Ａの前端）が枢支ピン５２を介して上記トップルーフ２の後端２ａの両側部にヒンジ結合されている。
【００２１】
尚、上記リヤルーフ３を上記トップルーフ２側に連結した状態においては、上記トップルーフ２の後端縁と上記リヤルーフ３の各側部構成体３Ａ，３Ａ及び後縁部構成体３Ｂで囲まれた開口３０が形成される。そして、この開口３０には、後述のようにリヤウインドルーフ４が配置される。
【００２２】
一方、上記トップルーフ２は、その後端２ａより先端２ｂ側へ所定寸法だけ離間した幅方向二位置が、それぞれ枢支ピン５４を介して左右一対のリンクレバー２３，２３の一端に連結されると共に、該リンクレバー２３の他端は、枢支ピン５３を介して上記第１ブラケット１１に枢支されている。また、上記リヤルーフ３の後端３ｂの両側部には、それぞれ回動レバー２２，２２が突設されると共に、該回動レバー２２の他端は、枢支ピン５１を介して車体側の上記第１ブラケット１１に枢支されている。そして、このリンクレバー２３と、上記リヤルーフ３及びリンクレバー２３の連結体とからなるルーフ支持機構２１は、平行リンクを構成している。
【００２３】
従って、上記トップルーフ２は、上記ルーフ支持機構２１の平行リンク作用によって、図１に示すように上記車室８の前部上方位置において略水平に延出する「第１トップルーフ姿勢」と、図３に示すように上記「第１トップルーフ姿勢」の位置から斜め下後方に平行移動した「第２トップルーフ姿勢」の間で平行移動可能とされる。この「第２トップルーフ姿勢」においては、その後半部分が上記トランク部６に対応し、前半部分はトランク部前壁７よりも前方側（即ち、車室８より側）に位置している。尚、上記トップルーフ２は、これが「第１トップルーフ姿勢」に設定された状態では、図１に鎖線図示するように、車室８の前端上部に横設された車体側のフロントヘッダー９に適宜のロック機構を介して連結固定される。
【００２４】
また、このような上記トップルーフ２の「第１トップルーフ姿勢」と「第２トップルーフ姿勢」の間での平行移動に対応して、該トップルーフ２にヒンジ結合された上記リヤルーフ３は、図１に示すように「第１トップルーフ姿勢」にある上記トップルーフ２の後端側にこれと所定の屈曲角度をもって展延する「第１リヤルーフ姿勢」と、図３に示すように「第２トップルーフ姿勢」にある上記トップルーフ２の下側へ回り込むようにして折り畳まれた「第２リヤルーフ姿勢」の間で姿勢変更される。
【００２５】
このような上記トップルーフ２及びリヤルーフ３の姿勢変更作動を行なわせるために、この実施形態では、上記リヤルーフ３に固定された上記回動レバー２２に、上記枢支ピン５１を中心とする扇形の大ギヤ６１を設けると共に、上記第１ブラケット１１側には、上記大ギヤ６１に噛合する小ギヤ６２を設け、該小ギヤ６２をモータ１５によって回転駆動することで、上記トップルーフ２の「第１トップルーフ姿勢」と「第２トップルーフ姿勢」の間での姿勢変更動作と、上記リヤルーフ３の「第１リヤルーフ姿勢」と「第２リヤルーフ姿勢」の間での姿勢変更動作を連動させるようにしている。
【００２６】
一方、上記リヤウインドルーフ４は、上記トップルーフ２とリヤルーフ３の間に形成される上記開口３０に着脱自在に配置されてリヤウインド機能をなすものであって、例えば、ガラス板等の透明板材で構成される。そして、このリヤウインドルーフ４は、図１〜図３に示すように、その後端部の両側部に第１リンクバー３２の一端が、また該後端部より所定寸法だけ前端側へ離間した位置には第２リンクバー３３の一端が、それぞれ連結されている。また、上記第１リンクバー３２の他端は、枢支ピン５７を介して車体側の第２ブラケット１２に連結されると共に、扇形の大ギヤ６３が設けられている。さらに、上記第２リンクバー３３の一端は、枢支ピン５５を介して上記第２ブラケット１２に連結されている。尚、上記第２ブラケット１２は、上記第１ブラケット１１よりも車室８寄り位置に配置されている。
【００２７】
上記第１リンクバー３２と第２リンクバー３３で、上記リヤウインドルーフ４を支持するウインドウ支持機構３１が構成されるが、この場合、上記第１リンクバー３２と第２リンクバー３３はリンク機構を構成している。そして、上記リヤウインドルーフ４は、図１に示すように、上記トップルーフ２が「第１トップルーフ姿勢」に、上記リヤルーフ３が「第１リヤルーフ姿勢」に、それぞれ姿勢設定された状態（即ち、上記トップルーフ２とリヤルーフ３の間に上記開口３０が形成された状態）においては、前端側から後端側へやや下降傾斜した姿勢で、上記開口３０に対して車室側から水密的に当接して該トップルーフ２及びリヤルーフ３と一体化されてルーフ１を構成する。このときの上記ルーフ１の姿勢を「展開姿勢」という。
【００２８】
一方、図３に示すように、上記ロアレール２が「第２トップルーフ姿勢」に、上記リヤルーフ３が「第２リヤルーフ姿勢」に、それぞれ姿勢設定され、これら両者が折曲した状態においては、上記リヤウインドルーフ４は、上記トップルーフ２及びリヤルーフ３から車室８側へ離間し、上記トップルーフ２の前端より部分の下側で且つ上記トランク部６の前端に位置する上記トランク部前壁７の上方位置から車室８側へ略水平に延出した姿勢に保持される。このときの上記ルーフ１の姿勢を「折畳み姿勢」という。
【００２９】
このような上記リヤウインドルーフ４の姿勢変更動作は、上記第１リンクバー３２の他端に設けた上記大ギヤ６３に噛合する小ギヤ６４を、モータ１６によって回転駆動すると共に、該モータ１６の作動を上記ルーフ支持機構２１側に設けられた上記モータ１５と連動させることで実現される。
【００３０】
尚、図２には、上記ルーフ１が「展開姿勢」と「折畳み姿勢」の間で姿勢変更動作を行なう場合における過渡状態を示している。
【００３１】
一方、上記トランクリッド５は、上記トランク部６を開閉蓋自在に覆うものであって、該トランク部６の開口部の形状に沿った外観形状をもつ板状部材で構成され、次述左右一対のトランクリッド支持機構４１，４１を介して上記トランク部６に取り付けられている。即ち、上記トランクリッド支持機構４１は、上記リヤウインドルーフ４の前端部に設けられたリンク機構４６と、該リンク機構４６と上記トランク部６の後端寄りと床面に配置された第３ブラケット１３を連結する回動アーム４７を備えて構成される。
【００３２】
上記リンク機構４６は、上記トランクリッド５の前端側に前後方向に所定間隔をもって配置された第１リンク４２と第２リンク４３と、該第１リンク４２の他端に連結されると共にその中間位置が上記第１リンク４２の中間部一方に枢支された第２リンク４３と、上記第１リンク４２の他端に連結された第４リンク４５を備えると共に、該第３リンク４４と第４リンク４５の他端をそれぞれ次述する回動アーム４７の先端部に所定間隔をもって連結して構成される。
【００３３】
また、上記回動アーム４７の他端は枢支ピン６７を介して上記第３ブラケット１３に連結されるが、その場合、該回動アーム４７の他端に扇形の大ギヤ６５を取り付けると共に、該大ギヤ６５には小ギヤ６６を噛合させ、該小ギヤ６６をモータ１７で回転駆動するようにしている。上記回動アーム４７は、上記モータ１７の回転によって、図１に示すように、上記トランク部６内を前方に向けて略水平に延出して、上記リンク機構４６が取り付けられた一端側を上記第１ブラケット１１の上方近傍に位置させた「倒伏姿勢」と、図２に示すように、上記第３ブラケット１３側から上方へ延出して、上記リンク機構４６が取り付けられた一端側を上記第３ブラケット１３の略直上に位置させた「起仰姿勢」の間で姿勢変更可能とされる。
【００３４】
そして、上記トランクリッド５は、上記回動アーム４７が「倒伏姿勢」に設定されている状態では、図１に実線図示するように、その前端５ａ側から略水平に後方へ延出し、その後端５ｂ側が適宜のロック機構（図示省略）を介して車体後部に連結保持された状態（即ち、トランクリッド５の閉状態）と、同図に鎖線図示するようにその前端５ａ側を中心としてその後端５ｂ側を上方へ跳ね上げて上記トランク部６の後部を開放した状態（即ち、トランクリッド５の開状態）とを、択一的に採り得るようになっている。このときの上記トランクリッド５の開放形態が、特許請求の範囲中の「後部開放形態」に該当する。
【００３５】
また、上記回動アーム４７が「起仰姿勢」に設定されている状態では、図２に実線図示するように、上記トランクリッド５は、上記回動アーム４７との相対位置を保持したまま、該回動アーム４７と一体的にその前端５ａ側が跳ね上げられ、該トランクリッド５の前方側に大きな空間が確保され、上記トランク部６への上記ルーフ１の折り畳み収納と、該トランク部６からの上記ルーフ１の展開取出しが、共に可能とされる。このときの上記トランクリッド５の開放形態が、特許請求の範囲中の「前部開放形態」に該当する
尚、上記トランクリッド５の「前部開放形態」は、上記ルーフ１の上記トランク部６への折り畳み収納時と、該トランク部６からの上記ルーフ１の展開取出し時に必要となるものであり、このためこの実施形態では、上記トランクリッド５の「前部開放形態」を可能とする上記モータ１７の作動と、上記ルーフ１側の展開・折り畳みを可能とする上記モータ１５及びモータ１６の作動を、相互に連動させて制御するようにしている。
【００３６】
続いて、上述のように構成された上記ルーフ１の各部材の作動等を、該ルーフ１を、図１に示す展開状態から、図２に示す過渡状態を経て、図３に示す折畳み状態まで折り畳んで上記トランク部６内に収納する場合を例にとって具体的に説明する。
【００３７】
先ず、図１に示す展開状態であるが、この状態では、上記リヤルーフ３が車室８の後部から斜め前上方に向けて展延するとともに、このリヤルーフ３の前端３ａ側には、さらに上記トップルーフ２が該前端３ａから前方へ向けて略水平に展延し、該トップルーフ２の前端トップルーフ２ｂは、車室８の前部上方に配置された上記フロントヘッダー９に、適宜のロック機構（図示省略）により固定保持されている。また、この場合、上記リヤウインドルーフ４は、上記リヤルーフ３側の上記開口３０部分に車室８側から当接して、上記トップルーフ２及び上記リヤルーフ３と共に一体化され、上記ルーフ１を構成する。この展開した上記ルーフ１によって、上記車室８はその全域が覆われる。
【００３８】
この場合、上記トランクリッド５を支持する上記回動アーム４７が「倒伏姿勢」に設定されていることから、該トランクリッド５は「後部開放形態」とされ、該トランクリッド５をその後端５ｂから跳ね上げて上記トランク部６へ荷物を出し入れすることが可能となっている。そして、この状態では、上記車室８内に上記ルーフ１が存在しないことから、該トランク部６は、その略全体、即ち、上下方向においては上記トランク部６の底面から上記トランクリッド５の下面までの範囲で、また前後方向においては上記トランク部６の前後長の略全範囲で、これを荷室スペースとして利用することができる。尚、上記回動アーム４７は、上記トランク部６の幅方向両側部に位置していることから、殆ど荷室スペースの狭小化の要因とはならない。
【００３９】
一方、この展開状態から上記ルーフ１を折り畳んで上記車室８の上方を開放させるとともに、該ルーフ１を折り畳み状態で上記トランク部６内に収納する場合には、図２に示すように、先ず、上記モータ１７を作動させて上記回動アーム４７を「倒伏姿勢」から「起仰姿勢」に姿勢変更させて上記トランクリッド５を「前部開放形態」として上記トランク部６の前部を大きく開放させる。
【００４０】
さらに、このトランクリッド５の作動と同時か、あるいは所定時間遅れて、上記モータ１５とモータ１６を共に作動させて、上記ルーフ１の展開状態からの折り畳み動作を開始させる。即ち、上記モータ１５が作動し、その回転力を受けて上記リヤルーフ３が後傾動作を開始すると、該リヤルーフ３と一体化された上記回動レバー２２と上記リンクレバー２３による平行リンク作用によって、上記トップルーフ２は略水平姿勢を保持した状態のまま、上記リヤルーフ３の後傾動作に追従して、次第に斜め後下方へ略平行移動し、最終的には、図３に示すように、その後半部を上記トランク部前壁７側から上記トランク部６内に跳ね出させた状態で且つ上記トランクリッド５の下面に沿うようにして配置される。また、上記リヤルーフ３は、上記トランク部６の幅方向両側において、上記トランク部前壁７の近傍から斜め後上方へ延出するように配置される。
【００４１】
一方、上記リヤウインドルーフ４は、上記ルーフ１の展開状態では、図ルーフ１に示すように、上記リヤルーフ３側の上記開口３０部分に配置されているが、上記トップルーフ２とリヤルーフ３が上記モータ１５の回転力を受けて折り畳み動作を開始する場合、これらとは別に、上記モータ１６の回転力を受けて上記第１リンクバー３２が後傾変位することで、該第１リンクバー３２と上記第２リンクバー３３のリンク作用によって、図示省略２に示すように、斜め前上方への傾斜姿勢から、次第に水平姿勢に姿勢を変化させながら、後下方へ移動し、最終的には、図３に示すように、上記トップルーフ２の直下側で、且つ略水平姿勢とされた状態で、しかも上記トランク部前壁７より前方側に位置される。
【００４２】
従って、上記リヤウインドルーフ４の存在によって上記トランク部６の荷室スペースが狭小化されるということが未然に且つ確実に防止される。この結果、この実施形態のものでは、上記ルーフ１の折り畳み収納状態において、上記トランク部６の荷室スペースとして利用できるのは、高さ方向では図３に寸法Ｈで示すように上記トップルーフ２の下端位置より下側の範囲であり、また前後方向においては上記トランク部６の全範囲であり、該トランク部６内に大きな荷室スペース（図５に符号Ｖで示す範囲）が確保される。従って、例えば、従来のように、ルーフの折り畳み収納状態において、トップルーフ及びリヤルーフのみならず、これらからから離脱されたリヤウインドルーフもトランク部内に収納され、該トランク部の荷室スペースが、上記リヤウインドルーフの高さ方向位置及び前後方向位置の双方によって狭小化される場合に比して、上記トランク部６における荷室スペースの拡大が図られ、延いては、コンバーチブル車の使用上の利便性の向上が期待できる。
【図面の簡単な説明】
【００４３】
【図１】本願発明の実施の形態に係るコンバーチブル車の展開状態でのルーフ構造説明図である。
【図２】本願発明の実施の形態に係るコンバーチブル車の展開状態と折畳み状態の過渡状態でのルーフ構造説明図である。
【図３】本願発明の実施の形態に係るコンバーチブル車の折畳み状態でのルーフ構造説明図である。
【図４】本願発明の実施の形態に係るコンバーチブル車の折畳み状態を示す斜視図である。
【図５】ルーフ１を折畳み状態とし、トランクリッドを後方開放とした状態を示す斜視図である。
【符号の説明】
【００４４】
１      ・・ルーフ
２      ・・トップルーフ
３      ・・リヤルーフ
４      ・・リヤウインドルーフ
５      ・・トランクリッド
６      ・・トランク部
７      ・・トランク部前壁
８      ・・車室
９      ・・フロントヘッダー
１１    ・・第１ブラケット
１２    ・・第２ブラケット
１３    ・・第３ブラケット
１５    ・・モータ
１６    ・・モータ
１７    ・・モータ
１８    ・・駆動軸
１９    ・・駆動軸
２０    ・・駆動軸
２１    ・・ルーフ支持機構
２２    ・・回動レバー
２３    ・・リンクレバー
２５    ・・ストッパ−
２６    ・・ストッパ−
２７    ・・ストッパ−
２８    ・・ストッパ−
３０    ・・開口
３１    ・・ウインドウ支持機構
３２    ・・第１リンクバー
３３    ・・第２リンクバー
４１    ・・トランクリッド支持機構
４２    ・・第１リンク
４３    ・・第２リンク
４４    ・・第３リンク
４５    ・・第４リンク
４６    ・・リンク機構
４７    ・・回動アーム
【図１】
2005212584.tif 000003
【図２】
2005212584.tif 000004
【図３】
2005212584.tif 000005
【図４】
2005212584.tif 000006
【図５】
2005212584.tif 000007